(57)【特許請求の範囲】
【請求項１】
二つのアームを回動自在に連結して、前記二つのアームの先端に設けた挟持部を、互いに接近・離隔可能に構成した挟持工具であって、
前記挟持部のうち少なくとも何れか一方の挟持部において、もう一方の挟持部と対向する対向面に、前記アームの先端側の外空間と連通する拡幅溝を含み、
前記拡幅溝が、
当該拡幅溝と前記対向面との境界となる両側の縁部が非平行を維持するように、前記狭持部の先端から前記アームの後端に向かって拡幅した溝であることを特徴とする、
挟持工具。
【請求項２】
前記対向面に、前記拡幅溝を複数設けてあることを特徴とする、
請求項１に記載の挟持工具。
【請求項３】
前記拡幅溝に、前記アームの前側から後側に向かって伸びる縦歯を設けてあることを特徴とする、
請求項１または２に記載の挟持工具。
【発明の詳細な説明】
【技術分野】
【０００１】  本発明は、螺合済みのネジに対し、ネジ頭部に設けた十字穴、六角穴およびすりわりなどの潰れ等によって、締結工具を用いた取り外しが困難な場合に、ネジ頭部の周面を挟持してネジを回転させることにより、ネジの取り外しを可能とする挟持工具に関する。
【背景技術】
【０００２】  ペンチやプライヤーなどの挟持工具に、螺合済みのネジの周面を挟持して取り外し可能とした機能を持たせたものとして、出願人は以下の特許文献１，２に記載の発明を着想している。【０００３】  例えば、特許文献１に記載の挟持工具は、軸（２）で連結された一対の腕（１）の挟持部の前端に設けた係合面（７）同士が外拡がり状となるように傾斜させておき、ネジ（１５）の頭部（１６）を挟持した段階で、係合面（７）が略平行になるよう構成し、係合面（７）でネジ頭部の座面近くの外周面を掴みやすくすることで、顎部（４）がネジ（１５）の頭（１６）を挟み切れずに上方へと抜け出てしまう現象を抑制している。【０００４】  また、特許文献２に記載の挟持工具は、第１アーム（１）及び第２アーム（２）の前端に設けた挟持部（４）の対向面に、縦挟み歯（１３）を形成し、この縦挟み歯（１３）を構成する条歯（１３ａ）の側面形状を、挟持部（４）の対向面に対して凹み湾曲させた態様としている。  上記構成により、縦挟み歯（１３）がビス頭（２１）の上部周面に干渉することなく、前記縦挟み歯（１３）の、前記挟持部（４）の先端に近い箇所で、ビス頭（２１）の下部周面を挟持することができ、その結果、挟持部（４）がビス頭（２１）を挟み切れずに上方へと抜け出てしまう現象を抑制している。
【先行技術文献】
【特許文献】
【０００５】
【特許文献１】特許第３４８６７７６号公報
【特許文献２】特許第４４７１３１５号公報
【発明の概要】
【発明が解決しようとする課題】
【０００６】  本発明は、上記した特許文献１，２の何れとも異なる原理によって、挟持部でネジ頭部の周面を確実に挟持してネジを回転させて取り外し可能な挟持工具の提供を目的とする。
【課題を解決するための手段】
【０００７】
本発明に係る挟持工具は、二つのアームを回動自在に連結して、前記二つのアームの先端に設けた挟持部を、互いに接近・離隔可能に構成した挟持工具であって、前記挟持部のうち少なくとも何れか一方の挟持部において、もう一方の挟持部と対向する対向面に、前記アームの先端側の外空間と連通する拡幅溝を含み、前記拡幅溝が、当該拡幅溝と前記対向面の境界となる両側の縁部が非平行を維持するように、前記狭持部の先端から前記アームの後端に向かって拡幅した溝となるよう構成した。
【０００８】  かかる構成により、ネジ頭部を挟持すべく、両アームの挟持部を閉じていく際に、挟持部の対向面に設けた拡幅溝でもって、対向面とネジ頭部との接触をできる限り遅らせて、対向面同士の交差角度をできる限り狭めることができる。  その結果、対向面のうち挟持部の先端部に近い箇所を、ネジ頭部の座面周辺との接触箇所としつつ、この接触箇所でネジ頭部の最大径を構成する周面（最外周面）付近を挟持することができる。  よって、挟持部からネジ頭部に作用する、ネジの軸方向の力の成分を極力小さくし、挟持部がネジ頭部を挟みきれずに抜け出てしまう作用を抑制することができる。  また、ネジ頭部の座面周辺の最外周面付近を挟持することにより、ネジ中心から接触箇所までの距離を最大限確保することができるため、ネジを回して取り外す際の回転トルク（モーメント）が大きくなり、より簡単に取り外し動作を行うことができる。【０００９】  また、挟持部によってネジ頭部の最外周面よりも座面側に近い周面を挟持した場合には、挟持部にネジ頭部を引き寄せようとする力が働くことになる。この引き寄せ力が、ネジ頭部の周面を挟持部で挟持する際に作用する、挟持部からネジ頭部が抜け出ようとする力を相殺するように働く。その結果、ネジ頭部を挟持している時に、挟持部がネジ頭部を挟み切れずに抜け出てしまう作用を抑制し、ネジ頭部を確実に挟持することができる。【００１０】  また、本発明では、両アームの挟持部の対向面に拡幅溝を設けた場合に、ネジ頭部の抜け出し抑制効果や、ネジ頭部の取り外しを容易とする効果をより顕著に得ることができる。【００１１】  また、本発明では、従来の特許文献１，２のように、溝の深さを把持部側に向かって深く形成することを必須としない。  その結果、対向面を深く欠損させる必要がなく、挟持部の先端強度の確保に繋がる。  また、拡幅溝が物体の掴み機能に影響を与えにくいため、ペンチ、プライヤー、ピンセットなどの挟持工具として求められる掴み機能もできる限り維持することができる。【００１２】  また、本発明に係る挟持工具は、前記対向面に、前記拡幅溝を複数設けて構成することができる。【００１３】  かかる構成により、１つの挟持工具でより多くの径のネジの挟持作業に対応できる。【００１４】  また、本発明に係る挟持工具は、前記拡幅溝に、前記挟持部の先端から前記把持部側に向かって伸びる縦歯を設けて構成することができる。【００１５】  かかる構成により、前記した、対向面のうち挟持部の先端部に近い箇所でネジ頭部を挟持する機能だけでなく、上記した特許文献１における縦挟み歯のように縦歯でもってネジ頭部を挟持する機能を付与することができ、１つの挟持工具でより多くの径のネジの挟持作業に対応できる。
【発明の効果】
【００１６】  本発明によれば、ネジ頭部をより確実に挟持して取り外すことが可能な挟持工具を提供することができる。
【図面の簡単な説明】
【００１７】
【図１】実施例１に係る挟持工具のモデル図。
【図２】挟持部によるネジ頭部の挟持イメージ図。
【図３】拡幅部の構成を示す概略図。
【図４Ａ】等幅溝を設けた場合の挟持イメージ図。
【図４Ｂ】拡幅溝を設けた場合の挟持イメージ図。
【図５】変形例１に係る挟持工具の概略図。
【図６】変形例２に係る挟持工具の概略図。
【図７】変形例３に係る挟持工具の概略図。
【図８】変形例４に係る挟持工具の概略図。
【図９】変形例５に係る挟持工具の概略図。
【図１０】変形例６に係る挟持工具の概略図。
【図１１】実施例２に係る挟持工具の概略図。
【発明を実施するための形態】
【００１８】  以下、図面を参照しながら、本発明の実施例について説明する。  なお、本発明において、挟持工具とは、物体を挟持する機能を有するペンチ、プライヤー、ピンセットなどの手動工具や機械工具を指す。
【実施例１】
【００１９】＜１＞全体構成（図１）  図１に、本発明に係る挟持工具の第１実施例を示す。  本実施例では、本発明に係る挟持工具としてペンチＡ１を想定している。  ペンチＡ１は、二つのアーム１０を、各アーム１０の長手方向の途上で回動自在に連結して構成している。  各アーム１０の長手方向の一端側には、挟持部３０を設けている。  また、各アーム１０の長手方向の他端側には、把持部２０を設けている。  本発明において、各アーム１０は、直線形状を呈するタイプに限らず、挟持部３０に対して把持部２０が曲がっているタイプなども含まれる。  すなわち、各アーム１０の形状は特段限定せず、物体を挟持する機能を有する手動工具や機械工具に採用される公知の形状を採用することができる。【００２０】＜１．１＞挟持部（図１）  挟持部３０は、各アーム１０の長手方向の一端側に設けて、物体を挟持するための部位である。挟持部３０は、咥え部やアゴ部とも呼ばれる。  挟持部３０の幅Ｂは、挟持対象のネジ頭部が取り付けられている空間の広さや、挟持対象のネジ頭部の径範囲などの各種用途によって適宜設計される。【００２１】＜１．２＞把持部（図１）  把持部２０は、各アーム１０の長手方向の他端側に設けて、使用者が把持するための部位である。把持部２０はハンドルや柄とも呼ばれる。  使用者は、両把持部２０を握って、挟持部３０を互いに接近させるように操作することによって、物体を挟持、曲げ、または切断等することができる。  把持部２０の形状は適宜設計することができる。【００２２】＜２＞対向面（図１，２）  アーム１０に設けた挟持部３０には、もう一方のアーム１０の挟持部３０と対向する側に対向面４０を設ける。【００２３】＜２．１＞対向面同士の交差角度（図１）  各アームの対向面４０同士の交差角度θ１は、挟持部３０でもって物体を挟持する際に、前記物体の大きさによって変化する。  より具体的には、前記交差角度θ１は、大きな物体を挟持する際には大きくなり、小さな物体を挟持する際には小さくなる。【００２４】＜２．２＞対向面の表面形状（図１）  本発明において、対向面４０の表面形状は、平坦形状でも非平坦形状でもよく、特段限定しない。  本発明に係る挟持工具では、挟持部３０の対向面４０に、山型形状を呈する横歯を前後方向に連続形成して、物体を挟持しやすくするよう構成してもよい。  なお、本発明の説明を容易とするために、図１では横歯の図示を省略しており、対向面４０の表面を平坦としている。【００２５】＜３＞拡幅溝（図１〜図３）  対向面４０には、前記対向面４０の表面から凹むように窪ませてなる拡幅溝５０を設ける。  図１では、アーム１０において、アーム１０の長手方向を前後方向としたときに、前記挟持部３０を設けた側を前側、前記把持部２０を設けた側を後側と定義している。  また、アーム１０において、挟持部３０の幅Ｂ側の方向を、拡幅溝５０の溝幅方向として定義している。  上記の定義に基づき、図１に示す拡幅溝５０は、前記対向面４０から所定の溝深さ長Ｄを有しつつ、前側から後側に向かって、前記挟持部３０側の溝幅長（初期幅長）Ｗ１から、前記把持部２０側の溝幅長（最終幅長）Ｗ２へと拡幅するよう形成している。【００２６】  前記「溝深さ長Ｄ」は、挟持���象とするネジの頭部径が３ｍｍ〜９．５ｍｍである場合に、１．２ｍｍ以上（Ｄ≧１．２ｍｍ）を想定する。【００２７】  前記した「初期幅長Ｗ１」は、挟持対象とするネジの頭部径が３ｍｍ〜９．５ｍｍである場合に、２．９５ｍｍ以下（Ｗ１≦２．９５ｍｍ）を想定する。【００２８】＜３．１＞挟持イメージ（図２）  図２に、拡幅部を設けた挟持部による、ネジ頭部の挟持イメージの簡易図を示す。  ネジ頭部９０の両側から両挟持部３０間を閉じる動作を行うと、対向面４０のうち、挟持部３０の先端部３１に近い箇所でネジ頭部９０の座面周辺の最外周面付近を挟持することができる。【００２９】＜３．１．１＞挟持状態におけるネジ頭部の接触箇所（図２）  前記した「最外周面付近」とは、挟持対象とするネジの頭部の最大径を構成する周面（最外周面）及びその周辺を意味する。例えば、ネジの頭部径が３．５ｍｍ〜９ｍｍである場合に、挟持対象とするネジの頭部の最外周面からネジ頭部の頂面側に０．５ｍｍ程度までの周面と、最外周面からネジ頭部の座面までの周面とが含まれる。【００３０】＜３．２＞拡幅溝の底面形状（図３（ａ））  本発明において、拡幅溝５０の底面５１の形状は特段限定しない。  図３（ａ）では、拡幅溝５０を構成する底面５１を、対向面４０と平行な表面を有する平坦面で構成している。【００３１】＜３．３＞拡幅溝の拡幅角度（図３（ｂ））  本発明において、対向面４０側から見た拡幅溝５０の拡幅角度θ２は特段限定しない。  ただし、前側から後側に向かって溝幅が僅かに広がる程度の拡幅角度は、本発明にいう拡幅角度θ２には該当しない。例えば、対向面に凹むように窪ませた溝を加工する際に治具の抜け出しを容易とする目的のため僅かに拡幅角度を設ける場合や、加工精度の影響によって結果的に僅かに拡幅角度が生じる場合は、本発明にいう拡幅角度θ２には該当しない。  本発明において、拡幅溝５０の拡幅角度θ２は、少なくとも１０°以上を確保しておくことが望ましい。  以下に、拡幅溝５０の拡幅角度θ２の大小に伴う影響について説明する。【００３２】  ＜３．３．１＞拡幅角度を大きくした場合（図３（ｂ））  拡幅溝５０の拡幅角度θ２が大きくなると、対向面４０の欠損部分が増えることとなり、ペンチやプライヤーとして本来期待される、物体の掴み機能に用いる部分の面積減に繋がり得る。  よって、ペンチやプライヤーとしての掴み機能の確保の観点では、拡幅角度θ２を大きくし過ぎないことが望ましい。【００３３】  ＜３．３．２＞拡幅角度を小さくした場合（図３（ｂ））  拡幅溝５０の拡幅角度θ２が小さくなると、ネジ頭部９０を挟持しようとする際に、対向面４０のうち挟持部３０の先端部３１に近い箇所よりも把持部２０側に近い部分が先行してネジ頭部９０の周面に接触しやすくなり、対向面４０のうち挟持部３０の先端部３１に近い箇所でねじ頭部９０を挟持することができない場合がある。  そのため、対向面４０のうち、挟持部３０の先端部３１から離れた箇所、すなわち把持部２０側に近い部分が、先行してネジ頭部９０に干渉することを避ける観点では、拡幅角度θ２を大きくすることが望ましい。【００３４】＜３．４＞拡幅溝の平面形状（図３（ｂ））  本発明において、挟持部３０の対向面４０側か���みた拡幅溝５０の平面形状は、前記した拡幅角度θ２を有するものであれば、特段限定しない。  すなわち、対向面４０と拡幅溝５０との境界となる縁部５３は直線状に限らず、曲線形状、段形状などを構成してもよい。  図３（ｂ）は、拡幅溝の平面形状の一例を示しており、本例では縁部５３を挟持部３０から把持部２０側に向かって末広がりとし、挟持部３０の厚さ方向に向かって対称とした逆台形状の拡幅溝５０を形成している。【００３５】＜３．５＞拡幅溝の正面形状（図３（ｃ））  本発明において、挟持部３０の先端部３１側からみた、拡幅溝５０の正面形状は種々の形状を選択することができる。  また、本発明において、挟持部３０から把持部２０に向かって適宜切断される拡幅溝５０の断面形状が、同一形状である必要もない。  図３（ｃ）は、挟持部３０を先端部３１側から端面視した時の拡幅溝５０の正面形状の一例を示している。  拡幅溝５０は、対向面４０との間で段差を形成する底面５１と、当該底面５１の両側で前記対向面４０との間を連絡する側面５２とによって構成しており、その結果、拡幅溝５０の正面形状を略矩形状を呈している。  また、対向面４０と側面５２とで構成する隅部の内角の角度（隅部角度）θ３は、直角である。【００３６】＜３．６＞拡幅溝の加工方法  なお、対向面４０に拡幅溝５０を設ける方法としては、切削、プレス、金属粉末射出成形、精密鋳造など、種々の加工方法を用いることができる。【００３７】＜４＞使用時の機能・作用（図４Ａ，図４Ｂ）  本発明に係る挟持工具を用いて螺合済みのネジの頭部を挟持する場合の機能・作用について図４Ａ，図４Ｂを参照しながら説明する。  図４Ａは、対比説明のために、本発明の範囲外の挟持工具として、対向面に等幅の溝（等幅溝）を設けた構成を示しており、図４Ｂは、本発明に係る挟持工具として、対向面に拡幅溝５０を設けた構成を示している。  何れの図も、（ａ）は挟持部を側面側から見た概略図を示し、（ｂ）は挟持部を対向面側から見た概略図を示している。【００３８】＜４．１＞等幅溝の場合（図４Ａ）  図４Ａに示す等幅溝ａの場合、挟持部ｃを閉じていくと、ネジ頭部ｅの座面周辺に対向面ｄが接触する前に、ネジ頭部ｅの座面周辺から上方に離れた箇所で対向面ｄがネジ頭部ｅの周面と接触してしまうため、ネジ頭部の座面周辺の最外周面付近を掴みきれずに、挟持部ｃの交差角度θ１がθ１−１に留まることになる（図４Ａ（ａ））。  そして、前記対向面ｄのうち、前記接触箇所ｂから下方に位置する、挟持部３０の先端部３１に近い箇所は、ネジ頭部ｅに接触しないこととなる（図４Ａ（ｂ））。【００３９】＜４．２＞拡幅溝の場合（図４Ｂ）  一方、図４Ｂに示す拡幅溝の場合、挟持部３０間を閉じていっても、図４Ａで示した接触箇所ｂに相当する部分は、拡幅溝５０の存在によって欠損しており、ネジ頭部９０の周面との接触が発生しない。  よって、図４Ｂ（ａ）に示す構成では、図４Ａ（ａ）に示した構成よりも、交差角度θ１をより狭い状態（θ１−２＜θ１−１）とすることができ、かつ対向面４０のうち挟持部３０の先端部３１に近い箇所をネジ頭部９０の座面周辺の最外周面付近に接触させることができる。  さらに、図４Ｂ（ｂ）に示すように、拡幅溝５０と対向面４０との境界となる縁部５３は、紙面上下垂直方向に対して傾斜した状態となる。  そのため、ネジ頭部９０の座面周辺の最外周面付近のうち、最外周面よりも締結面側に近い周面を挟持した場合、縁部５３とネジ頭部９０との接触箇所では、ネジ頭部９０を挟持部に引き寄せようとする力が働くことになる。この引き寄せ力が、ネジ頭部９０の周面を挟持部３０で挟持する際に作用する、挟持部３０からネジ頭部９０が抜け出ようとする力を相殺するように働く。  その結果、ネジ頭部９０を挟持している時に、挟持部３０がネジ頭部９０を挟み切れずに抜け出てしまう作用を抑制し、ネジ頭部９０を確実に挟持することができる。【００４０】＜４．３＞接触箇所の比較例１（ナベネジ）（表１）  本発明において、挟持対象のネジを、「ＪＩＳ  Ｂ  １１１１」の規格によるＭ５のナベネジを想定し、対向面４０における先端部３１側の拡幅溝５０の溝幅長（初期幅長）を固定して、拡幅角度θ２を０°から６０°まで１０°ずつ変化させた場合の実施例１〜６と、本発明の範囲に含まれない、対向面４０に等幅の溝（等幅溝ａ）を設けた場合の比較例１〜３（等幅溝の幅溝長：２ｍｍ、４ｍｍ、６ｍｍ）のそれぞれについて、縁部５３に位置する対向面４０とネジ頭部９０の周面との接触箇所６０間の離隔距離（接触幅）と、接触箇所のネジの座面からの高さ（座面高さ）を示した表１を以下に示す。【００４１】
【表１】
0006820493.tif 000002
【００４２】  表１の実施例１〜６に現れるように、拡幅角度θ２を増やしていくにつれて、接触幅は広くなり、また座面高さは低くなることがわかった。  また、比較例１〜３に現れるように、等幅溝ａは、溝幅長を広くしていくにつれて座面高さは低くなっていくものの、実施例３〜６と同等の座面高さまで達することはなかった。  すなわち、等幅溝ａでは、幅溝長と接触幅とが等長となるのに対し、拡幅溝５０の場合、初期幅長に対し接触幅は大きくなるため、同じ座面高さを達成する幅溝長を小さくすることが可能となっている。  したがって、等幅溝ａに比べて、拡幅溝５０の態様が、接触箇所６０の座面高さをより低くして対向面４０同士の交差角度θ１をできる限り狭めた状態にでき、かつ、挟持部の対向面における欠損部分を小さくすることができる。【００４３】＜４．４＞接触箇所の比較例２（トラスネジ）（表２）  本発明において、挟持対象のネジを、「ＪＩＳ  Ｂ  １１１１」の規格によるＭ５のトラスネジを想定し、拡幅溝５０の初期幅長を固定して、拡幅角度θ２を０°から６０°まで１０°ずつ変化させた場合の実施例７〜１２と、本発明の範囲に含まれない、対向面４０に等幅の溝（等幅溝ａ）を設けた場合の比較例４〜６（等幅溝の幅溝長：２ｍｍ、４ｍｍ、６ｍｍ）のそれぞれについて、縁部５３に位置する対向面４０とネジ頭部９０の周面との接触箇所６０間の離隔距離（接触幅）と、接触箇所のネジの座面からの高さ（座面高さ）を示した表２を以下に示す。【００４４】
【表２】
0006820493.tif 000003
【００４５】  表１の実施例７〜１２に現れるように、拡幅角度θ２を増やしていくにつれて、接触幅は広くなり、また座面高さは低くなることがわかった。  また、比較例４〜６に現れるように、等幅溝ａについて溝幅長を広くしていくにつれて座面高さは低くなっていくものの、実施例９〜１２と同等の座面高さまで達することはなかった。  すなわち、等幅溝ａでは、幅溝長と接触幅とが等長となるのに対し、拡幅溝５０の場合、初期幅長に対し接触幅は大きくなるため、同じ座面高さを達成する溝幅長を小さくすることが可能となっている。  したがって、等幅溝ａに比べて、拡幅溝５０の態様が、接触箇所６０の座面高さをより低くして対向面４０同士の交差角度θ１をできる限り狭めた状態にでき、かつ、挟持部の対向面における欠損部分を小さくすることができる。【００４６】＜５＞まとめ  以上説明した通り、本発明に係る挟持工具では、対向面４０に拡幅溝５０を設けたことにより、対向面４０同士の交差角度θ１をより狭くした状態でネジ頭部９０を挟持することができる。  また、対向面４０のうち挟持部３０の先端部３１に近い箇所で、ネジ頭部９０の座面周辺の最外周面付近を挟持することができる。  その結果、挟持部３０がネジ頭部９０から抜け出る作用を低減させて、ネジを強固に挟持し続けることができる。  また、ネジ頭部９０の座面周辺の最外周面付近を挟持することにより、ネジ中心から接触箇所までの距離を最大限確保することができるため、ネジ頭部９０をネジ軸方向に回転させて取り外す際の回転トルク（モーメント）を大きくでき、より簡単に取り外し動作を行うことができる。【００４７】  また、挟持部３０の交差角度θ１は、大きなネジを挟持する際により大きくなることから、ネジ頭部９０から挟持部３０はより抜け出しやすくなっていく。上記のとおり、本発明に係る挟持工具では、対向面４０に拡幅溝５０を設けたことにより、対向面４０同士の交差角度θ１をより狭くした状態でネジ頭部９０を挟持することができる。  したがって、本発明に係る挟持工具は、径の大きなネジを挟持対象とする場合にも好適である。【００４８】  また、拡幅溝５０は、対向面４０のうち挟持部３０の先端部３１に近い箇所でもってネジ頭部９０の座面周辺の最外周面付近を挟持できる範囲の深さで足りるため、従来の技術のように溝の深さを把持部側に向かって深く形成することを必須とせず、挟持部３０の薄い箇所が局所的に形成されることもない。  したがって、本発明に係る挟持工具は、挟持部３０の先端強度を確保できる。【００４９】  また、拡幅溝５０は、ネジ頭部９０の座面周辺の最外周面付近を挟持するために、従来の等幅溝のように幅溝長を大きく確保する必要もないため、挟持部の対向面における欠損部分を小さくすることができる。  したがって、拡幅溝５０が、物体の掴み機能にも影響を与えにくいため、ペンチやプライヤーとして求められる機能もできる限り維持することができる。【００５０】＜６＞変形例１（拡幅溝の形状（図５））  本発明では、先端部３１側から把持部２０側に向けて適宜切断して端面視した時の拡幅溝５０の形状について、種々の形状を採用することもできる。  図５に示した、挟持部３０を先端部３１側からみたときの端面図を参照しながら以下に説明する。【００５１】＜６．１＞台形タイプ（図５（ａ））  対向面４０と側面５２との間の隅部角度θ３を９０度未満に構成して、拡幅溝５０の断面形状を台形状にすることができる。  本変形例では、前記した基本構成と比較して、拡幅溝５０の体積が僅かに増えるものの、ネジを強固に挟持する機能に影響はない。【００５２】＜６．２＞逆台形タイプ（図５（ｂ））  対向面４０と側面５２との間の隅部角度θ３を９０度より大きく構成して、拡幅溝５０の形状を逆台形状にすることができる。  本変形例では、前記した基本構成と比較して、拡幅溝５０の体積を減らすことができ、挟持部３０の強度保持に寄与する。  また隅部角度θ３を鈍角にすることで、隅部の欠損防止にも寄与する。【００５３】＜７＞変形例２（拡幅溝の底面態様（図６））  また、本発明では、底面５１の形状について、以下の形状を採用することもできる。【００５４】＜７．１＞円弧タイプ（図６（ａ））  図６（ａ）に示す、挟持部３０の側面側からみた概略断面図では、拡幅溝５０の底面５１の奥に円弧面５１１が形成されている。  この円弧面５１１は、拡幅溝５０の加工にカッター切削を用いた場合に、カッターの円弧に沿って必然的に形成される曲面である。  本変形例でも、前記した基本構成と比較してネジを強固に挟持する機能に変わりはない。【００５５】＜７．２＞斜面タイプ（図６（ｂ））  図６（ｂ）に示す、挟持部３０の側面側からみた概略断面図では、拡幅溝５０の底面５１を、挟持部３０の前側から後側に向かって、対向面４０との間の深さを漸減させてなる斜面が形成されている。  本変形例でも、前記した基本構成と比較してネジを強固に挟持する機能に変わりはない。【００５６】＜７．３＞湾曲タイプ（図６（ｃ））  図６（ｃ）に示す挟持部３０の概略斜視図では、拡幅溝５０の底面５１を、挟持部３０の幅方向に対して湾曲するよう構成している。  本変形例でも、隅部角度θ３が一定の角度を保持していれば、前記した基本構成と比較してネジを強固に挟持する機能に影響はない。【００５７】＜７．４＞縦歯タイプ（図６（ｄ））  図６（ｄ）に示す挟持部３０の概略斜視図では、拡幅溝５０の底面５１に、山型の溝を切った縦歯５４を、拡幅溝５０の幅方向に連続形成して構成している。  この縦歯５４の頂部は、挟持部３０から把持部２０側に向かって対向面４０から徐々に離隔するように位置している。  本変形例でも、前記した基本構成と比較してネジを強固に挟持する機能に変わりはなく、さらに、拡幅溝５０の先端幅よりも小径のネジに対して、縦歯５４が、前記した特許文献２（特許第４４７１３１５号）に係る縦挟み歯のように機能するため、ネジ頭部を確実に挟持する機能を得ることができる。【００５８】＜８＞変形例３［窪み部分との一体化］（図７）  本発明では、対向面４０に、拡幅溝５０以外の窪み部分を設けておいても良い。  図７には、対向面４０から凹むように形成した略円形の窪み部分を設けており、この窪み部分のうち、挟持部３０側から把持部２０側に溝幅が拡幅している一部の領域を、拡幅溝５０としている。  本変形例でも、前記した基本構成と比較してネジを強固に挟持する機能に影響はない。【００５９】＜９＞変形例４［拡幅溝の数］��図８）  本発明では、対向面４０に対し、拡幅溝５０を複数設けておくこともできる。  図８に示すように、対向面４０から窪んでなる拡幅溝５０（第１の拡幅溝５０ａ）の底面を、別の対向面に見立てて、第１の拡幅溝５０ａよりも小幅な拡幅溝５０（第２の拡幅溝５０ｂ）を形成してもよい。【００６０】  本変形例によれば、第１の拡幅溝５０ａの先端幅長よりも小さな頭部径を有するネジに対しては、第２の拡幅溝５０ｂに挟持機能を担わせることにより、対応ネジ径の広い挟持工具を提供することができる。【００６１】＜１０＞変形例５［Ｖ溝を多段設けた構成］（図９）  本発明では、対向面４０にＶ字状の溝（以下「Ｖ溝」ともいう。）を単数または複数設けて拡幅溝５０を形成することもできる。  図９には、挟持部３０の対向面４０に、深さおよび幅の異なるＶ溝を二箇所形成している。  この二箇所のＶ溝は、まず内側の二辺の溝の切削をそれぞれ行って内側のＶ溝を形成し、この内側のＶ溝の両外側に接するように、前記内側のＶ溝よりも浅いＶ溝を切削して外側のＶ溝を形成している。  このとき、前記した内側のＶ溝の中に含まれる逆台形状に区画された解放領域が、挟持対象とするネジの中で小さな頭部径のグループに属するネジに対応させた拡幅溝（内側拡幅溝５０ｃ）とする。  また、前記した外側のＶ溝の中に含まれる逆台形状に区画された解放領域を、挟持対象とするネジの中で大きな頭部径のグループに属するネジに対応させた拡幅溝（外側拡幅溝５０ｄ）とする。【００６２】  本変形例によれば、深さ及び拡幅幅の異なる２つの拡幅溝（内側拡幅溝５０ｃおよび外側拡幅溝５０ｄ）でもって、対応ネジ径の広い挟持工具を提供することができる。また、台形状とする場合よりも、ペンチやプライヤーとして本来必要とされる掴み機能が向上する。【００６３】＜１１＞変形例６［湾曲溝の境界部が縦歯となる構成］（図１０）  本発明では、対向面４０に、小幅の溝を、挟持部の厚さ方向に複数並べて設けることによって拡幅溝５０を形成することもできる。  図１０では、対向面４０に、断面視して湾曲面を有する小幅の湾曲溝５５を、複数並べて拡幅溝５０を形成している。  このとき、隣接する湾曲溝５５の境界部分は、前記した変形例２の＜７．４＞で説明した縦歯５４としても機能する。【００６４】＜１２＞変形例７［他方の挟持部との対称性］（図示せず）  また、本発明では、各アーム１０の対向面４０にそれぞれ設けた拡幅溝５０を、同一形状に構成する点に限定されない。  例えば、一方の挟持部３０に設けた拡幅溝５０の拡幅角度θ２を、他方の挟持部３０に設けた拡幅溝５０の拡幅角度θ２よりも大きく形成してもよい。  また、一方の挟持部３０にのみ拡幅溝５０を設け、他方の挟持部３０には拡幅溝５０を設けない構成としてもよい。
【実施例２】
【００６５】  本発明に係る挟持工具は、ピンセットにも適用することができる。  ピンセットには、主として、単一の長尺部材を折り返して構成する、折り返しタイプと、独立した二つの長尺部材の後端を固定して構成する、結合タイプとがあり、アームを回動自在に連結する構造となっている。  図１１は、実施例２に係る挟持工具のモデル図である。  図１１に示すピンセットＡ２は、両端に挟持部３０を設けた長尺部材を結合して、両挟持部３０を接近離隔可能に構成した二つのアーム１０で構成している。  ピンセットの場合、把持部２０は、挟持部３０から僅かに後側に移動した位置となる。【００６６】  本実施例に係る挟持工具においても、各アーム１０の先端に設けた挟持部３０の対向面４０に設けた拡幅溝５０によって、対向面４０同士の交差角度θ１をより狭くした状態でネジ頭部９０を挟持することができる。  その結果、対向面４０のうち挟持部３０の先端部３１に近い箇所でネジ頭部９０の座面周辺の最外周面付近を挟持することができる。  その結果、挟持部３０がネジ頭部９０から抜け出る作用を低減させて、ネジを強固に挟持し続けることができ、さらに、ネジ頭部９０をネジ軸方向に回転させて取り外す際の回転トルク（モーメント）を大きくすることもできるため、ネジをより簡単に取り外すことができる。
【符号の説明】
【００６７】Ａ１：ペンチＡ２：ピンセット１０：アーム２０：把持部３０：挟持部４０：対向面５０：拡幅溝５１：側面５２：底面５３：縁部５４：縦歯５５：湾曲溝５０ａ：第１の拡幅溝５０ｂ：第２の拡幅溝５０ｃ：内側拡幅溝５０ｄ：外側拡幅溝６０：接触箇所θ１：交差角度θ２：拡幅角度θ３：隅部角度９０：ネジ頭部Ｂ：挟持部の幅長Ｄ：溝深さ長Ｗ１：初期幅長Ｗ２：最終幅長Ｈ：高さａ：等幅溝ｂ：接触箇所ｃ：挟持部ｄ：対向面ｅ：ネジ頭部
【要約】利便性に優れた挟持工具を提供する。挟持工具を構成するアーム（１０）の前端に挟持部（３０）を設け、この挟持部の対向面（４０）に、前記挟持部（３０）の前側から後側に向かって拡幅するように伸びる拡幅溝（５０）を設けた。【図１】
0006820493.tif 000004
【図２】
0006820493.tif 000005
【図３】
0006820493.tif 000006
【図４Ａ】
0006820493.tif 000007
【図４Ｂ】
0006820493.tif 000008
【図５】
0006820493.tif 000009
【図６】
0006820493.tif 000010
【図７】
0006820493.tif 000011
【図８】
0006820493.tif 000012
【図９】
0006820493.tif 000013
【図１０】
0006820493.tif 000014
【図１１】
0006820493.tif 000015